(57)【要約】【課題】転写中に転写部位を容易に観察することができる塗膜転写具を提供する。【解決手段】前端２ａが開口するケース２内に、供給リール３と巻取リール４を配設し、前記開口より転写ヘッド５を突設させ、前記供給リール３に巻回した転写テープ６を繰出し、前記転写ヘッド５の尖端で反転させて前記巻取リール４に巻取らせるようにした塗膜転写具１において、前記転写ヘッド５の左右に転写テープ６を案内するガイド７を付設し、このガイド７に第１窓部８を設けるとともに、転写ヘッド５の左右辺縁のうち、前記ガイド７が付設された部分の左右辺縁に第２窓部９を設け、これら第１窓部８と第２窓部９の両者を通して、転写中に斜め上方から転写部位を観察し得るようにしたことを特徴とする塗膜転写具とする。【選択図】　　　　図１
2004066688.tif 000002
【特許請求の範囲】
【請求項１】
前端が開口するケース内に、供給リールと巻取リールを配設し、前記開口より転写ヘッドを突設させ、前記供給リールに巻回した転写テープを繰出し、前記転写ヘッドの尖端で反転させて前記巻取リールに巻取らせるようにした塗膜転写具において、
前記転写ヘッドの左右に転写テープを案内するガイドを付設し、このガイドに第１窓部を設けるとともに、転写ヘッドの左右辺縁のうち、前記ガイドが付設された部分の左右辺縁に第２窓部を設け、これら第１窓部と第２窓部の両者を通して、転写中に斜め上方から転写部位を観察し得るようにしたことを特徴とする塗膜転写具。
【請求項２】
前記第１窓部を開口としたことを特徴とする請求項１記載の塗膜転写具。
【請求項３】
前記開口を、ガイドの下部から上部に向けた切欠部としたことを特徴とする請求項１記載の塗膜転写具。
【請求項４】
前記第１窓部を、ガイドの少なくとも一部を透明素材を用いることにより形成したことを特徴とする請求項１記載の塗膜転写具。
【請求項５】
前記第２窓部を、切欠部としたことを特徴とする請求項１〜４のいずれかに記載の塗膜転写具。
【請求項６】
前記切欠部を、長手の板状体からなる転写ヘッドの左右辺縁のうち、前記ガイドが付設された部分の左右辺縁を切欠いて形成したことを特徴とする請求項５記載の塗膜転写具。
【請求項７】
前記転写ヘッドの前部を板状体で形成するとともに、転写ヘッドのうち、前記ガイドが付設される部分を、前後方向の連結杆で形成し、この連結杆の前端と前記板状体の後端とを連結することによって、前記連結杆と左右のガイド間に形成された開口を前記第２窓部としたことを特徴とする請求項１〜４のいずれかに記載の塗膜転写具。
【請求項８】
前記第２窓部を、転写ヘッドの少なくとも一部を透明素材を用いることにより形成したことを特徴とする請求項１〜４のいずれかに記載の塗膜転写具。
【請求項９】
前記第１窓部と第２窓部を連通して設けたことを特徴とする請求項１〜８のいずれかに記載の塗膜転写具。
【請求項１０】
前記第２窓部を、転写ヘッドのうち、左右のガイドが付設された部分を、上方に向けて湾曲させて、左右方向のトンネル状空間を形成し、このトンネル状空間の左右開口端をもって形成し、この左右開口端を、左右のガイドの第１窓部に連通させたことを特徴とする請求項９に記載の塗膜転写具。
【請求項１１】
前記第２窓部を、転写ヘッドのうち、左右のガイドが付設された部分を、左右方向の中央から左右両側に向けて漸次拡径する上向突状円弧に湾曲させ、その円弧状湾曲の内部空間の拡径された左右開口端をもって形成し、この左右開口端を、左右のガイドの第１窓部に連通させたことを特徴とする請求項９に記載の塗膜転写具。
【発明の詳細な説明】
【０００１】
【発明の属する技術分野】
本発明は、手で把持して、紙面等を押圧しながら後方へ移動させることにより、供給リールから繰出される転写テープに塗着されている修正用または糊料の塗膜を、紙面等に転写する塗膜転写具に関する。
【０００２】
【従来の技術】
塗膜転写具を使用する場合、塗膜が、紙面等における所望の部分に、正確に転写されることが重要である。
塗膜の転写は、供給リールに巻回した転写テープを転写ヘッドに繰出し、転写ヘッドの尖端で、転写テープを紙面等に押圧することによってなされる。
転写ヘッドの尖端近傍の左右には、転写テープを案内するガイドが設けられている。
【０００３】
しかし、このガイドが視野を遮り、転写テープから転写される塗膜が、紙面等における所望の部分に、正確に転写されているか否かを確認することが困難であった。
前記確認を容易にするため、特開平１１−２６８４８７号においては、前記ガイドに開口部を設けた塗膜転写具が提案されている。
しかし、この提案による塗膜転写具においても、必ずしも前記確認が容易であるとは言えない。
【０００４】
【発明が解決しようとする課題】
本発明は、前記の現状に鑑み、転写中に転写部位を容易に観察することができ、紙面等における所望の部分に、正確かつ簡単に塗膜を転写することができるようにした塗膜転写具を提供することを目的とする。
【０００５】
【課題を解決するための手段】
本発明によると上記課題は、次のようにして解決される。
（１）　前端が開口するケース内に、供給リールと巻取リールを配設し、前記開口より転写ヘッドを突設させ、前記供給リールに巻回した転写テープを繰出し、前記転写ヘッドの尖端で反転させて前記巻取リールに巻取らせるようにした塗膜転写具において、前記転写ヘッドの左右に転写テープを案内するガイドを付設し、このガイドに第１窓部を設けるとともに、転写ヘッドの左右辺縁のうち、前記ガイドが付設された部分の左右辺縁に第２窓部を設け、これら第１窓部と第２窓部の両者を通して、転写中に斜め上方から転写部位を観察し得るようにしたことを特徴とする塗膜転写具とする。
【０００６】
（２）　上記（１）項において、前記第１窓部を開口とする。
【０００７】
（３）　上記（１）項において、前記開口を、ガイドの下部から上部に向けた切欠部とする。
【０００８】
（４）　上記（１）項において、前記第１窓部を、ガイドの少なくとも一部を透明素材を用いることにより形成する。
【０００９】
（５）　上記（１）項〜（４）項のいずれかにおいて、前記第２窓部を、切欠部とする。
【００１０】
（６）　上記（５）項において、前記切欠部を、長手の板状体からなる転写ヘッドの左右辺縁のうち、前記ガイドが付設された部分の左右辺縁を切欠いて形成する。
【００１１】
（７）　上記（１）項〜（４）項のいずれかにおいて、前記転写ヘッドの前部を板状体で形成するとともに、転写ヘッドのうち、前記ガイドが付設される部分を、前後方向の連結杆で形成し、この連結杆の前端と前記板状体の後端とを連結することによって、前記連結杆と左右のガイド間に形成された開口を前記第２窓部とする。
【００１２】
（８）　上記（１）項〜（４）項のいずれかにおいて、前記第２窓部を、転写ヘッドの少なくとも一部を透明素材を用いることにより形成する。
【００１３】
（９）　上記（１）項〜（８）項のいずれかにおいて、前記第１窓部と第２窓部を連通して設ける。
【００１４】
（１０）　上記（９）項において、前記第２窓部を、転写ヘッドのうち、左右のガイドが付設された部分を、上方に向けて湾曲させて、左右方向のトンネル状空間を形成し、このトンネル状空間の左右開口端をもって形成し、この左右開口端を、左右のガイドの第１窓部に連通させる。
【００１５】
（１１）　上記（９）項において、前記第２窓部を、転写ヘッドのうち、左右のガイドが付設された部分を、左右方向の中央から左右両側に向けて漸次拡径する上向突状円弧に湾曲させ、その円弧状湾曲の内部空間の拡径された左右開口端をもって形成し、この左右開口端を、左右のガイドの第１窓部に連通させる。
【００１６】
【発明の実施の形態】
図１は、本発明の一実施形態の塗膜転写具（１）の斜視図、図２は、図１に示した塗膜転写具（１）における転写ヘッド（５）とガイド（７）の部分拡大斜視図である。
【００１７】
塗膜転写具（１）は、前端（２ａ）が開口するケース（２）内に、供給リール（３）と巻取リール（４）を配設し、前記開口より転写ヘッド（５）を突設させ、前記供給リール（３）に巻回した転写テープ（６）を繰出し、前記転写ヘッド（５）の尖端（５ａ）で反転させて、前記巻取リール（４）に巻取らせるようにしてある。
【００１８】
前後方向に長い板状体からなる転写ヘッド（５）の尖端（５ａ）近傍の左右には、転写テープ（６）を案内する、側面視において前向２等辺三角形状のガイド（７）（７）が付設されている。各ガイド（７）には、転写ヘッド（５）の側面に並ぶ仕切り部（１２）を介して、上下に同形同寸の前向直角三角形状の開口（８ａ）（８ｂ）が設けられている。
【００１９】
転写ヘッド（５）の左右辺縁（５ｂ）（５ｃ）における、前記左右のガイド（７）（７）が付設された部分は内向きに切欠かれて、前後方向に長い四辺形状の切込部（９ａ）（９ｂ）が形成されている。
【００２０】
このように、本発明は、左右のガイド（７）（７）に、第１窓部（８）として、開口（８ａ）（８ｂ）を設けるとともに、転写ヘッド（５）の左右辺縁（５ｂ）（５ｃ）のうち、前記ガイド（７）（７）が付設された部分の左右辺縁に、第２窓部（９）として切込部（９ａ）（９ｂ）を設けたことを特徴としている。
【００２１】
塗膜転写具（１）の使用者は、転写の際に、ガイド（７）の第１窓部（８）と、転写ヘッド（５）の第２窓部（９）を通して、斜め上方から、塗膜の転写部位を容易に観察することができ、そのため、紙面等における所望の部分に、正確かつ簡単に塗膜を転写することができる。
【００２２】
なお、塗膜が除去された後の転写テープ（６ａ）は、転写ヘッド（５）の上面に対して所定の仰角θをもって、ケース（２）内に繰り込まれて巻取リール（４）に巻取られるため、ガイド（７）が付設された部位においては、転写テープ（６ａ）は、転写ヘッド（５）の上面から、相当程度離間しており、ガイド（７）の前記第１窓部（８）および転写ヘッド（５）の第２窓部（９）を通して斜め上方から行う転写部位の観察に支障をきたすことはない。
【００２３】
しかも、通常は、塗膜が除去された後の転写テープ（６ａ）は、透明となっているため、前記転写部位の観察には好都合である。
【００２４】
図３〜図１１は、それぞれ本発明の他の実施形態を示し、図２に相当する部分拡大斜視図である。
【００２５】
図３に示す実施形態においては、左右のガイド（１０）（１０）における第１窓部（１１）を形成する上下の開口（１１ａ）（１１ｂ）の形態が異なっている。
【００２６】
図２に示す実施形態においては、ガイド（７）における上下の開口（８ａ）（８ｂ）は同じ形状の２等辺三角形であり、かつ上下の開口（８ａ）（８ｂ）を仕切る仕切り部（１２）は、転写ヘッド（５）の側面に並んで位置しているため、この仕切り部（１２）が、転写部位の観察において、視野の部分的な障害となるおそれがある。
【００２７】
そのため、図３に示す実施形態においては、ガイド（１０）における上下の開口（１１ａ）（１１ｂ）の仕切り部（１３）の位置を、転写ヘッド（１４）よりも下方とすることにより、ガイド（１０）の第１窓部（１１）としての上部の開口（１１ａ）と、転写ヘッド（１４）の第２窓部（１５）を連通させて、転写部位の観察を良好にしてある。
【００２８】
図４に示す実施形態は、左右の各ガイド（１６）における第１窓部（１７）を１つの開口（１７ａ）からなるものとして、仕切り部をなくし、この第１窓部（１７）を、転写ヘッド（１８）の第２窓部（１９）と連通させて、転写部位の観察を一層良好にしてある。
【００２９】
図５に示す実施形態は、左右の各ガイド（２０）の転写ヘッド（２１）からの下方突出量を、転写テープ（６）を案内し得るに必要な最小限のものとし、かつガイド（２０）の下辺縁部（２０ａ）を、転写ヘッド（２１）と平行にして、前記下辺縁（２０ａ）の下方からも、転写部位を観察することができるようにしてある。
なお、符号（２２），（２３）は、それぞれ第１窓部、第２窓部を示す。
【００３０】
図６に示す実施形態は、転写ヘッド（２４）の前部を板状体（２４ａ）で形成するとともに、転写ヘッド（２４）のうち、左右のガイド（２５）（２５）が付設される部分を、前後方向の連結杆（２６）で形成し、この連結杆（２６）の前端と前記板状体（２４ａ）の後端とを連結することによって、前記連結杆（２６）と左右のガイド（２５）（２５）間に形成された開口（２７ａ）（２７ａ）を第２窓部（２７）とし、かつ前記ガイド（２５）の第１窓部（２８）を、ガイド（２５）の下部から上部に向けた切欠部（２８ａ）をもって形成してある。
【００３１】
本実施形態においては、ガイド（２５）における第１窓部（２８）が、切欠部（２８ａ）をもって形成され、図５における下辺縁部（２０ａ）が存在せず、かつ転写ヘッド（２４）における第２窓部（２７）としての開口（２７ａ）が大きいため、転写部位の観察を、より良好に行うことができる。
【００３２】
図７に示す実施形態は、転写ヘッド（２９）の左右のガイド（３０）（３０）における第１窓部（３１）を、ガイド（３０）に透明素材を用いることにより形成したものである。図示の実施形態では、ガイド（３０）全体を透明素材としてあるため、ガイド（３０）全体が第１窓部（３１）として機能しているが、部分的に透明素材を用いてもよい。
なお、符号（３２）は、転写ヘッド（２９）に設けられた第２窓部を示す。
【００３３】
図８に示す実施形態は、転写ヘッド（３３）のうち、左右のガイド（３４）（３４）が付設されている部分を含めて、それより前部（３３ａ）を透明素材で形成するとともに、左右のガイド（３４）（３４）を透明素材で形成したものである。
【００３４】
ガイド（３４）全体が第１窓部（３５）になるとともに、転写ヘッド（３３）のうち、左右のガイド（３４）（３４）が付設されている部分全体が第２窓部（３６）となるため、転写部位の観察が極めて容易となる。
【００３５】
図９に示す実施形態は、転写ヘッド（３７）の左右のガイド（３８）（３８）を透明素材で形成することにより、これらを第１窓部（４０）とし、かつ転写ヘッド（３７）における左右のガイド（３８）（３８）が付設される部分を、上方に向けて湾曲させて、左右方向のトンネル状空間（３９）を形成し、このトンネル状空間（３９）の左右の開口端（３９ａ）（３９ｂ）を、それぞれ左右のガイド（３８）（３８）の第１窓部（４０）に連通させたものである。
【００３６】
トンネル状空間（３９）の左右の開口端（３９ａ）（３９ｂ）が、第２窓部（４１）として機能し、転写部位を斜め上方から観察することができる。
【００３７】
図１０に示す実施形態は、図９に示した実施形態において、透明素材からなるガイド（３８）に代えて、前後方向に長く、かつ前部がやや窄まった長円状枠体からなるガイド（４２）を用いたものである。
【００３８】
ガイド（４２）の長円状の開口（４２ａ）により第１窓部（４３）が形成され、転写ヘッド（４４）におけるトンネル状空間（４５）の左右の開口端（４５ａ）（４５ｂ）が第２窓部（４６）として機能し、同じく転写部位を斜め上方から観察することができる。
【００３９】
図１１に示す実施形態は、図９に示した実施形態において、転写ヘッド（３７）を左右方向のトンネル状空間（３９）を形成するように湾曲させることに代えて、転写ヘッド（４７）における第２窓部（４８）を、転写ヘッド（４７）のうち、左右のガイド（４９）（４９）が付設された部分を、左右方向の中央から左右両側に向けて漸次拡径する上向突状円弧に湾曲させ、その円弧状湾曲の内部空間（５０）の拡径された左右開口端をもって形成し、この左右開口端（５１）を、左右のガイド（４９）（４９）の第１窓部（５２）（５２）に連通させてある。
第１窓部（５２）および第２窓部（４８）を通して、同じく転写部位を斜め上方から観察することができる。
【００４０】
【発明の効果】
本発明によれば、次のような効果が奏せられる。
（１）　請求項１記載の発明によれば、転写中において、斜め上方から、ガイドの第１窓部と転写ヘッドの第２窓部を通して、転写部位を容易に観察することができ、紙面等における所望とする部分に、正確かつ簡単に塗膜を転写することができる。
【００４１】
（２）　請求項２記載の発明によれば、ガイドにおける第１窓部を容易に形成することができる。
【００４２】
（３）　請求項３記載の発明によれば、ガイドにおける視野の大きい第１窓部を容易に形成することができる。
【００４３】
（４）　請求項４記載の発明によれば、ガイドにおける第１窓部を、特に開口等を設けることなく、素材を透明なものを選択して用いるだけで、簡単に形成することができる。
【００４４】
（５）　請求項５記載の発明によれば、転写ヘッドにおける第２窓部を容易に形成することができるとともに、切欠部によって左右幅が小さくなった部分の作用により、転写ヘッドの尖端が上下に弾性的に変形可能となるため、転写作業を一層、円滑に、かつ疲労なく行うことができる。
【００４５】
（６）　請求項６記載の発明によれば、転写ヘッドにおける視野の大きい第２窓部を容易に形成することができる。
【００４６】
（７）　請求項７記載の発明によれば、転写ヘッドの強度を保持するとともに、一層視野の大きい第２窓部を容易に形成することができる。
また、上記（５）項における場合と同様に、転写ヘッドの尖端が上下に弾性変形可能となり、転写作業を一層、円滑に、かつ疲労なく行うことができる。
【００４７】
（８）　請求項８記載の発明によれば、転写ヘッドにおける第２窓部を、素材を透明なものを選択して用いるだけで、簡単に形成することができる。
【００４８】
（９）　請求項９記載の発明によれば、第１窓部と第２窓部とが連通しているため、仕切り部などの視野の障害がなく、転写部位の観察を極めて容易に行うことができる。
【００４９】
（１０）　請求項１０記載の発明によれば、転写ヘッドに、特に切欠部などを設けなくても、斜め上方からの転写部位の観察を良好に行うことができる。
【００５０】
（１１）　請求項１１記載の発明によれば、上記（１０）項に記載した効果と同様な効果が奏せられる。
【図面の簡単な説明】
【図１】本発明の一実施形態の塗膜転写具の斜視図である。
【図２】図１に示した塗膜転写具における転写ヘッドとガイドの部分拡大斜視図である。
【図３】本発明の他の実施形態を示し、図２に相当する部分拡大斜視図である。
【図４】同じく、本発明の他の実施形態を示し、図２に相当する部分拡大斜視図である。
【図５】同じく、本発明の他の実施形態を示し、図２に相当する部分拡大斜視図である。
【図６】同じく、本発明の他の実施形態を示し、図２に相当する部分拡大斜視図である。
【図７】同じく、本発明の他の実施形態を示し、図２に相当する部分拡大斜視図である。
【図８】同じく、本発明の他の実施形態を示し、図２に相当する部分拡大斜視図である。
【図９】同じく、本発明の他の実施形態を示し、図２に相当する部分拡大斜視図である。
【図１０】同じく、本発明の他の実施形態を示し、図２に相当する部分拡大斜視図である。
【図１１】同じく、本発明の他の実施形態を示し、図２に相当する部分拡大斜視図である。
【符号の説明】
（１）塗膜転写具
（２）ケース
（２ａ）前端
（３）供給リール
（４）巻取リール
（５）転写ヘッド
（５ａ）尖端
（５ｂ）左辺縁
（５ｃ）右辺縁
（６）転写テープ
（６ａ）塗膜転写後の転写テープ
（７）ガイド
（８）第１窓部
（８ａ）（８ｂ）開口
（９）第２窓部
（９ａ）（９ｂ）切込部
（１０）ガイド
（１１）第１窓部
（１１ａ）（１１ｂ）開口
（１２）仕切り部
（１３）仕切り部
（１４）転写ヘッド
（１５）第２窓部
（１６）ガイド
（１７）第１窓部
（１７ａ）開口
（１８）転写ヘッド
（１９）第２窓部
（２０）ガイド
（２０ａ）下辺縁部
（２１）転写ヘッド
（２２）第１窓部
（２３）第２窓部
（２４）転写ヘッド
（２４ａ）板状体
（２５）ガイド
（２６）連結杆
（２７）第２窓部
（２７ａ）開口
（２８）第１窓部
（２８ａ）切欠部
（２９）転写ヘッド
（３０）ガイド
（３１）第１窓部
（３２）第２窓部
（３３）転写ヘッド
（３３ａ）前部
（３４）ガイド
（３５）第１窓部
（３６）第２窓部
（３７）転写ヘッド
（３８）ガイド
（３９）トンネル状空間
（３９ａ）（３９ｂ）開口端
（４０）第１窓部
（４１）第２窓部
（４２）ガイド
（４２ａ）開口
（４３）第１窓部
（４４）転写ヘッド
（４５）トンネル状空間
（４５ａ）（４５ｂ）開口端
（４６）第２窓部
（４７）転写ヘッド
（４８）第２窓部
（４９）ガイド
（５０）内部空間
（５１）開口端
（５２）第１窓部
【図１】
2004066688.tif 000003
【図２】
2004066688.tif 000004
【図３】
2004066688.tif 000005
【図４】
2004066688.tif 000006
【図５】
2004066688.tif 000007
【図６】
2004066688.tif 000008
【図７】
2004066688.tif 000009
【図８】
2004066688.tif 000010
【図９】
2004066688.tif 000011
【図１０】
2004066688.tif 000012
【図１１】
2004066688.tif 000013